(57)【要約】      （修正有）【課題】構造が簡単で、目地プレートを地震の揺れ動きに対してスムーズに移動させることができ、かつ目地プレートの後端部との間に生ずる隙間を最小限に設定することができる床用目地装置を得るにある。【解決手段】目地部２を介して設けられた左右の床躯体３の一方の床躯体３に反目地部側が傾斜面４に形成された目地プレートスライド支持凹部５と、他方の床躯体３の目地部側に形成された目地プレート支持凹部６と、この目地プレート支持凹部６に後端部が支持され、先端部が前記目地プレートスライド支持凹部５に支持された床用目地プレート８と、この床用目地プレート８の後部に形成されたコ字状のピンケース１０と、前記目地プレート支持凹部６に形成されたピン挿入穴１１と、このピン挿入穴１１に下部が挿入され、上枢支ピン１２で、前記床用目地プレート８の先端部を上方へ回動できるよう枢支された支持ピン１３とで床用目地装置１を構成している。【選択図】図２
2011084872.tif 000002
【特許請求の範囲】
【請求項１】
目地部を介して設けられた左右の床躯体の一方の床躯体の目地部側に反目地部側が傾斜面に形成された目地プレートスライド支持凹部と、この目地プレートスライド支持凹部と対応する部位の前記左右の床躯体の他方の床躯体の目地部側に形成された目地プレート支持凹部と、この目地プレート支持凹部に後端部が支持され、先端部が前記目地プレートスライド支持凹部に支持され、地震で目地部が狭くなると先端部が前記傾斜面をスライド移動して上方へ突出する床用目地プレートと、この床用目地プレートの後部の両側部寄りの部位に形成された後部が開口するコ字状のピンケースと、このピンケースが位置する前記目地プレート支持凹部にそれぞれ垂直方向に形成されたピン挿入穴と、このピン挿入穴に下部がスライド移動可能に挿入され、上部が前記ピンケース内に位置して、該ピンケースの後方上部位置に枢支ピンで、前記床用目地プレートの先端部を上方へ回動できるよう枢支された支持ピンとからなることを特徴とする床用目地装置。
【請求項２】
目地プレート支持凹部は他方の床躯体の目地部側に床面より下部位置に複数本のアンカーボルト等でほぼ水平方向に固定されたチャンネル状の支持台と、この支持台に形成された透孔に固定された支持ピン挿入パイプとで構成されていることを特徴とする請求項１記載の床用目地装置。
【発明の詳細な説明】
【技術分野】
【０００１】
本発明は地震で目地部が狭くなると、目地部の先端部が前方上方へ突出して、その揺れ動きを吸収する床用目地装置に関する。
【背景技術】
【０００２】
従来、床用目地プレートの後端部の底面にヒンジ部材を介して取付けられた支持軸を、床用目地プレートの後端部を支持する目地プレート支持部に形成した軸受穴で支持させ、地震で目地部が狭くなると目地部の先端部が床面上へ突出できるように回動できるように構成されている。
【０００３】
このため、地震で目地部が狭くなると、床用目地プレートの先端部を床面上へ突出するように回動させるため、床用目地プレートの後端部の上部位置と、この上部位置と対応する部位の、該床用目地プレートの後端部を支持する目地プレート支持凹部の側壁との間に比較的に大きな隙間を形成しておかなければ、 床用目地プレートの先端部を上方へ回動させることができなかった。
【０００４】
このため、通常時の使用時には目地プレートの後端部と床用目地プレート支持凹部の側壁との間の比較的に大きな隙間によって、走行時に振動が生じたり、ゴミが入りやすくなるという欠点があった。
【先行技術文献】
【特許文献】
【０００５】
【特許文献１】特許第３５７４６１０号
【特許文献２】特開２００８−６３８９５
【発明の概要】
【発明が解決しようとする課題】
【０００６】
本発明は以上のような従来の欠点に鑑み、構造が簡単で、目地プレートを地震の揺れ動きに対してスムーズに移動させることができ、かつ目地プレートの後端部との間に生ずる隙間を最小限に設定することができ、走行時の振動の発生を効率よく防止することができる床用目地装置を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明は目地部を介して設けられた左右の床躯体の一方の床躯体の目地部側に反目地部側が傾斜面に形成された目地プレートスライド支持凹部と、この目地プレートスライド支持凹部と対応する部位の前記左右の床躯体の他方の床躯体の目地部側に形成された目地プレート支持凹部と、この目地プレート支持凹部に後端部が支持され、先端部が前記目地プレートスライド支持凹部に支持され、地震で目地部が狭くなると先端部が前記傾斜面をスライド移動して上方へ突出する床用目地プレートと、この床用目地プレートの後部の両側部寄りの部位に形成された後部が開口するコ字状のピンケースと、このピンケースが位置する前記目地プレート支持凹部にそれぞれ垂直方向に形成されたピン挿入穴と、このピン挿入穴に下部がスライド移動可能に挿入され、上部が前記ピンケース内に位置して、該ピンケースの後方上部位置に枢支ピンで、前記床用目地プレートの先端部を上方へ回動できるよう枢支された支持ピンとで床用目地装置を構成している。
【発明の効果】
【００１０】
以上の説明から明らかなように、本発明にあっては次に列挙する効果が得られる。
（１）目地部を介して設けられた左右の床躯体の一方の床躯体の目地部側に反目地部側が傾斜面に形成された目地プレートスライド支持凹部と、この目地プレートスライド支持凹部と対応する部位の前記左右の床躯体の他方の床躯体の目地部側に形成された目地プレート支持凹部と、この目地プレート支持凹部に後端部が支持され、先端部が前記目地プレートスライド支持凹部に支持され、地震で目地部が狭くなると先端部が前記傾斜面をスライド移動して上方へ突出する床用目地プレートと、この床用目地プレートの後部の両側部寄りの部位に形成された後部が開口するコ字状のピンケースと、このピンケースが位置する前記目地プレート支持凹部にそれぞれ垂直方向に形成されたピン挿入穴と、このピン挿入穴に下部がスライド移動可能に挿入され、上部が前記ピンケース内に位置して、該ピンケースの後方上部位置に枢支ピンで、前記床用目地プレートの先端部を上方へ回動できるよう枢支された支持ピンにより、地震で目地部が狭くなり、床用目地プレートの先端部が上方へ回動しても、ピンケースに枢支ピンで枢支された支持ピンのコ字状のピンケースによって、該ピンケース外へ位置させることができる。
したがって、床用目地プレートの後端部と目地プレート支持凹部との隙間がほぼ３ｍｍぐらいでも、床用目地プレートの回動を可能にすることができる。
このため、車両の走行時に、従来の大きな隙間に比べ、小さな振動にでき、かつゴミ等が侵入して動作不良になるのを効率よく阻止することができる。
（２）前記（１）によって、後部が開口するコ字状のピンケースを用い、支持ピンの上部をピンケースの上方後部寄りに枢支ピンで枢支するだけであるので、構造が簡単で、安価に製造することができる。
（３）前記（１）によって、床用目地プレートの先端部が上方へ回動した後、該床用目地プレート全体を上方へ押し上げるような力が作用しても、ピンケースに枢支ピンで支持ピンが枢支されているとともに、支持ピンが目地プレート支持凹部に形成されたピン挿入穴にスライド移動可能に支持されているため、支持ピンがかじったりすることなく、スムーズに移動し、床用目地プレートの移動に追従させることができる。
（４）請求項２も前記（１）〜（３）と同様な効果が得られるとともに、比較的に簡単に目地プレート支持凹部を設けることができる。
【図面の簡単な説明】
【００１１】
【図１】本発明を実施するための第１の形態の平面図。
【図２】図１の２−２線に沿う断面図。
【図３】図１の３−３線に沿う断面図。
【図４】床用目地プレートの説明図。
【図５】ピンケースの説明図。
【図６】支持ピンの説明図。
【図７】地震で目地部が狭くなった動作説明図。
【図８】地震で目地部が広くなった動作説明図。
【図９】本発明を実施するための第２の形態の平面図。
【図１０】図９の１０−１０線に沿う断面図。
【図１１】図９の１１−１１線に沿う断面図。
【図１２】支持台の説明図。
【図１３】本発明を実施するための第３の形態の平面図。
【図１４】図１３の１４−１４線に沿う断面図。
【図１５】図１３の１５−１５線に沿う断面図。
【図１６】本発明を実施するための第４の形態の平面図。
【図１７】図１６の１７−１７線に沿う断面図。
【図１８】図１６の１８−１８線に沿う断面図。
【発明を実施するための形態】
【００１２】
以下、図面に示す本発明を実施するための形態により、本発明を詳細に説明する。
【００１３】
図１ないし図８に示す本発明を実施するための第１の形態において、１は目地部２を介して設けられた左右の床躯体３、３間を覆う本発明の床用目地装置で、この床用目地装置１は前記左右の床躯体３、３の一方の床躯体３の目地部側の床面に反目地部側が傾斜面４に形成された目地プレートスライド支持凹部５と、この目地プレートスライド支持凹部５と対向する前記左右の床躯体３、３の他方の床躯体３の目地部側床面に形成された目地プレート支持凹部６と、この目地プレート支持凹部６に、該目地プレート支持凹部６の側壁６ａとの間に約３ｍｍ程の小さな隙間７を介して後端部が支持され、先端部が前記目地プレートスライド支持凹部５にスライド移動可能で、かつ目地部が狭くなると前記傾斜面４に沿って上方へ移動できるように支持された床用目地プレート８と、この床用目地プレート８の後部の両側部寄りの部位に形成された後部が開口９するコ字状のピンケース１０、１０と、このピンケース１０、１０が位置する前記目地プレート支持凹部６にそれぞれ垂直方向に形成されたピン挿入穴１１、１１と、このピン挿入穴１１、１１に円柱状の下端部がスライド移動可能に挿入され、前記ピンケース１０の内側寸法よりわずかに小さい寸法の上部が前記ピンケース１０、１０内に位置して、該ピンケース１０、１０の後方上部位置に枢支ピン１２、１２で前記床用目地プレート８の先端部を上方へ回動できるように枢支された支持ピン１３、１３と、前記ピンケース１０、１０の上部開口部１０ａ、１０ａを覆う固定フタ１４、１４とで構成されている。
【００１４】
前記床用目地プレート８は金属材製の浅皿状で、かつ後部の両側部寄りの部位にコ字状のピンケース１０、１０が固定された床用目地プレート本体１５と、この床用目地プレート本体１５内に充填されたモルタルやコンクリート１６と、このモルタルやコンクリート１６の上部に敷設されたレンガやタイル等の床化粧材１７と、前記床用目地プレート本体１５の先端上部にヒンジ部材１８を介して設けられたカバープレート１９とで構成されている。
【００１５】
上記構成の床用目地装置１は図１および図２に示すように、通常状態では床用目地プレート８の後端部８ａと、目地プレート支持凹部６の側壁６ａとの間は３ｍｍ程の小さな隙間７しかなく、床用目地プレート８上を車両が走行しても振動や騒音の発生を少なく抑えることができる。
また、隙間７にゴミが入り込んだりするのを効率よく阻止できる。
【００１６】
地震で目地部２が狭くなるように左右の床躯体３、３が移動した場合、図７に示すように床用目地プレート８の先端部は目地プレートスライド支持凹部５の傾斜面４に沿って上方へスライド移動する。
【００１７】
この時、床用目地プレート８の後端部８ａはピンケース１０、１０の後方上部位置にピン挿入穴１１、１１にスライド移動する支持ピン１３、１３の上部に枢支ピン１２、１２で枢支されているため、枢支ピン１２、１２を支点に床用目地プレート８が回動するため、目地プレート支持凹部６の側壁６ａとの隙間７を小さく設定しても床用目地プレート８の先端部を上方へ回動させることができる。
【００１８】
また、目地部２が非常に狭くなると、図７の仮想線で示すように、支持ピン１３、１３がピン挿入穴１１、１１をスライド移動し、上方へ移動し、床用目地プレート８を水平に位置させることができる。
【００１９】
なお、床用目地プレート８の後端部８ａに自重が作用すると、自動的に支持ピン１３、１３がピン挿入穴１１、１１へ押し込まれて、元の状態へ戻る。
【００２０】
次に、地震で目地部２が広くなると、図８に示すように床用目地プレート８の先端部が目地プレートスライド支持凹部５上をスライド移動して、その揺れ動きを吸収し、揺れ動きが停止すると自動的に元の状態へ戻る。
【００２１】
[発明を実施するための異なる形態]
次に、図９ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図９ないし図１２に示す本発明を実施するための第２の形態において、前記本発明を実施するための第１の形態と主に異なる点は、複数本のアンカーボルトやタッピングビス等の固定具２０で他方の床躯体３の目地部側の床面の下部位置にほぼ水平方向に固定された目地プレート支持凹部６を形成するためのチャンネル状の支持台２１と、この支持台２１に透孔２２、２２、２２、２２を形成し、該透孔２２、２２、２２、２２にピン挿入穴１１、１１を設けるパイプ２３、２３を固定した点で、このように構成した床用目地装置１Ａにしても、前記本発明を実施するための第１の形態と同様な作用効果が得られる。
【００２３】
図１３ないし図１５に示す本発明を実施するための第３の形態において、前記本発明を実施するための第２の形態と主に異なる点は、支持台２１に形成した透孔２２、２２、２２、２２をピン挿入穴１１Ａ、１１Ａとし、下部が長い支持ピン１３Ａ、１３Ａを用いた点で、このように構成した床用目地装置１Ｂにしても前記本発明を実施するための第２の形態と同様な作用効果が得られる。
【００２４】
図１６ないし図１８に示す本発明を実施するための第４の形態において、前記本発明を実施するための第1の形態と主に異なる点は、他方の床躯体３にクランク状で支持ピン支持凹部２４が形成される支持ピン支持台２５を複数個のタッピングビス２６で固定し、この支持ピン支持台２５の支持ピン支持凹部２４に、下部にローラ２７を配置したピン挿入孔１１Ｂを有するスライド移動可能なスライド移動体２８を設け、該スライド移動体のピン挿入孔１１Ｂ、１１Ｂにピンケース１０、１０に取付けられた支持ピン１３、１３を取付けた点で、このように構成した床用目地装置１Ｃにしても前記本発明を実施するための第１の形態と同様な作用効果が得られるとともに、床用目地プレート８を前後方向にスライド移動させることができる。
【産業上の利用可能性】
【００２５】
本発明は目地部を介して設けられた左右の床躯体間を接続する床用目地装置
を製造する産業で利用される。
【符号の説明】
【００２６】
１、１Ａ、１Ｂ、１Ｃ：床用目地装置、  ２：目地部、
３：床躯体、                          ４：傾斜面、
５：目地プレートスライド支持凹部、  
６：目地プレート支持凹部、            ６ａ：側壁、  
７：隙間、                            ８：床用目地プレート、
９：開口、                            １０：ピンケース、
１１、１１Ａ、１１Ｂ：ピン挿入穴、    １２：枢支ピン、
１３、１３Ａ：支持ピン、              １４：固定フタ、
１５：床用目地プレート本体、          １６：モルタルやコンクリート、
１７：床化粧材、                      １８：ヒンジ部材、
１９：カバープレート、                ２０：固定具、
２１：支持台、                        ２２：透孔、
２３：パイプ                          ２４：支持ピン支持凹部、
２５：支持ピン支持台                  ２６：タッピングビス、
２７：ローラ、                        ２８：スライド移動体。
【図１】
2011084872.tif 000003
【図２】
2011084872.tif 000004
【図３】
2011084872.tif 000005
【図４】
2011084872.tif 000006
【図５】
2011084872.tif 000007
【図６】
2011084872.tif 000008
【図７】
2011084872.tif 000009
【図８】
2011084872.tif 000010
【図９】
2011084872.tif 000011
【図１０】
2011084872.tif 000012
【図１１】
2011084872.tif 000013
【図１２】
2011084872.tif 000014
【図１３】
2011084872.tif 000015
【図１４】
2011084872.tif 000016
【図１５】
2011084872.tif 000017
【図１６】
2011084872.tif 000018
【図１７】
2011084872.tif 000019
【図１８】
2011084872.tif 000020